(57)【要約】      （修正有）【課題】潮流発電機の効率向上と製作費及びメンテナンスコストの低減【解決手段】水上に独立して浮く密封された円筒体の軸流水車を採用し、円筒体外周前部から後部まで同方向のネジを有して連なったブレートを複数枚配置した。円筒体内部の後部の軸芯に発電用無回転軸３を配置。その軸に大容量の扇形錘４を取り付けることで円筒体後部を沈めることができるようになり、ブレードの後部まで初潮流圧を受けられるようになる。潮流力により回転した円筒体の回転力を発電機５に伝えるのに、円筒体端部に歯車６を配置した。又、円筒体後部の軸芯に発電用無回転軸３を配置。この発電用無回転軸３に扇形鍾４を固定した。円筒体１が回転しても大容量の扇形鐘４の重力作用により発電用無回転軸３が回転しないようにして、扇形鐘４に減速機７、発電機５を配置連結することで、円筒体の回転力を→歯車６→減速機７→発電機５と動力が伝わるようにした。【選択図】図１
2012241707.tif 000002
【特許請求の範囲】
【請求項１】
単体で浮く円筒体もしくはテーパー管の外周の前部から後部まで、同方向にネジレを有して連なったブレードを複数枚配置した軸流水車を採用したことを特徴とする潮流発電機。
【請求項２】
円筒体内部軸芯の後部に発電用無回転軸と扇形錘を配置して円筒体の後部を沈めることで、ブレードの後部まで初潮流圧を受けて作用すると共に受圧面積も広く取れることを特徴とする請求項１に記載の潮流発電機。
【請求項３】
円筒体内部に発電機、発電用無回転軸、歯車、減速機、扇形錘Ａを配置して、この扇形錘Ａの重力作用を利用した動力伝達装置を配置したことを特徴とする請求項１または２に記載の潮流発電機。
【請求項４】
円筒体軸芯前端部に扇形錘Ｂの重力作用の働いた回転しない係留用無回転軸と扇形錘Ｂを、後端部に係留用回転軸を配置したことで運転中円筒体が回転してもロープにネジレを生じず、常に同じ位置に係留できるようにしたことを特徴とする請求項１〜３に記載の潮流発電機。
【請求項５】
扇形錘Ａ・Ｂの重力作用が働いた回転しない発電用無回転軸と係留用無回転軸に人が通れ、かつ送電線を通せる穴を設けたことで運転中にメンテナンス作業ができ、又送電ができるようにしたことを特徴とする請求項１〜４に記載の潮流発電機。
【発明の詳細な説明】
【技術分野】
【０００１】  本発明は、円筒体内部に発電機・軸・錘・歯車・減速機を配置、又円筒体外周にネジレを有して連なったブレードを備え、後部を沈めた状態で独立して浮く軸流水車型の潮流発電機に関する。
【技術背景】
【０００２】  潮流発電機には水中に完全に沈めたプロペラ翼のタイプや、船体やフロートにプロペラ翼付き発電機を配置したタイプがあるが、実用化にはまだ問題が残っている。
【特許文献】
【特許文献１】特開２００５−５０２８２１
【特許文献２】特開２００４−２９３３５２
【発明が解決しようとする課題】
【０００３】（イ）従来の文献１の水中に完全に沈めたタイプだと防水面での課題
・比較的流速の速い水面域の利用ができないという課題
・メンテナンス時は運転を止め水中から出す必要があるという課題
（ロ）従来の文献２の船体もしくは、フロートにブレード付き発電機を配置するタイプだと、船体やフロートの製作コストがかかるという課題
・水面を浮いて流れるゴミが、船体とブレード付き発電機の取り付け部や発電機軸にからみ付くという課題
本発明はこれらの問題点を解決するためになされたものである。
【課題を解決するための手段】
【０００４】（イ）上記課題を解決するために、本発明の潮流発電機では、水上に独立して浮く密封された円筒体の軸流水車を採用し、ゴミの付きにくいよう、円筒体外周前部から後部まで同方向のネジを有して連なったブレートを複数枚配置した。
（ロ）円筒体内部の後部の軸芯に発電用無回転軸３を配置。その軸に大容量の扇形錘Ａ４を取り付けることで円筒体後部を沈めることができるようになり、このことにより、ブレードの後部まで初潮流圧を受けられるようになる。又受圧面積も広く取れるようになる。
（ハ）潮流力により回転した円筒体の回転力を発電機５に伝えるのに、円筒体端部に歯車６を配置した。又、円筒体後部の軸芯に発電用無回転軸３を配置。この発電用無回転軸３に扇形鍾Ａ４を固定した。円筒体１が回転しても大容量の扇形鐘Ａ４の重力作用により発電用無回転軸３が回転しないようにして、扇形鐘Ａ４に減速機７、発電機５を配置連結することで、円筒体の回転力を→歯車６→減速機７→発電機５と動力が伝わるようにした。
（ニ）円筒体軸芯前端部にもその、係留用無回転軸８に扇形錘Ｂ１０を固定して、係留用ロープ１３で係留して円筒体が回転しても、扇形錘Ｂ１０の重力作用により、係留用無回転軸８が回転しないようにした。
又、後端部には係留用回転軸９を配置して係留用ロープ１４で係留したことで常に同じ位置で係留できるようにした。
（ホ）運転中人が円筒体内部に出入りしてメンテナンス作業と送電線１５の配線ができるように、発電用無回転軸３と係留用無回転軸８に人が通れて、送電線１５が通せるくらいの出入り送電用穴１２と出入り送電用穴１１を設けた。
【発明の効果】
【０００５】  以上のように本発明にかける潮流発電機は、独立して浮く円筒体なので比較的流速の速い水面域の利用ができ、効率向上が図れる。又防水面の課題もなく、船体やフロートを必要とせずコスト減少が図れる。
円筒体後部を沈める構造なので、ブレードの後部まで初潮流圧を受けられるようになり、又受圧面積も広く取れるようになる。その結果大型大容量の潮流発電機を作ることも可能となる。
円筒体前部から後部まで同方向のネジを有して連なったブレードを配置したので水面を流れるゴミが巻きつく所がなく、ゴミがそのまま後方へ流れていくことが可能となる。
メンテナンス面でも、運転中に人が円筒体内部まで入れる回転部のない構造なのでメンテナンス作業のコスト低減が図れる。
送電線をこの回転しない出入り送電用穴１２・出入り送電用穴１１を通せば外部までの配線が可能となる。
【発明を実施するための最良の形態】
【０００６】  以下、本発明の実施の形態を図面に沿って説明する。
（イ）図１〜３に示すように、潮流発電機は海上の潮流の上流側に扇形錘Ｂ１０の重力作用の働いた係留用無回転軸８を配置し、その８に係留用ロープ１３で係留する。
又、潮流の下流側に係留用回転軸９に係留用ロープ１４で係留することで、円筒体が回転しても、係留ロープは回転しない構造となっている。
円筒体外周の前部から後部まで同方向のネジを有して連なったこのブレード２を複数配置したことで、（水面を流れるゴミがからみ付きやすい、小径部やとがった部分がない為）、そのまま後方へ流れていく構造となっている。
（ロ）円筒体内部には円筒体後部軸芯に発電用無回転軸３に扇形錘Ａ４を固定して取り付けたことで扇形錘Ａ４は重力作用により常に下位置にあり回転しないので円筒体の回転エネルギー損失も少なく済み、図１で示す位、円筒体後部を沈めるためブレード２の後部まで初潮流圧を受けて作用する、又受圧面積も広く取れるようになる。
（ハ）ブレード２にあたる潮流力により回転した、円筒体１の回転力を発電機５に伝えるため、円筒体端部に、歯車６を配置した。自ら回転しない扇形錘Ａ４に発電機５と減速機７を設置する。円筒体１が回転してその回転力を歯車６→減速機７→発電機５と伝えられ発電が可能となる。
（ニ）この扇形錘Ａ４の重量を最大限に設計することで、発電機の容量も大型化させることが可能になる。
（ホ）運転中（円筒体の回転中）にメンテナンスの為、人が内部に出入りできるようにと、発電用無回転軸３と係留用無回転軸８に人が通れて、送電線１５が通せるぐらいの穴を設けた。又、発電した電気を送る送電線もこの穴の中を通すことで、送電を可能にした。
【符号の説明】１、    円筒体
２、    ブレード
３、    発電用無回転軸
４、    扇形錘Ａ
５、    発電機
６、    歯車
７、    減速機
８、    係留用無回転軸
９、    係留用回転軸
１０、  扇形錘Ｂ
１１、  出入り送電用穴
１２、  出入り送電用穴
１３、  係留用ロープ
１４、  係留用ロープ
１５、  送電線
【図面の簡単な説明】
【図１】本発明の断面図
【図２】本発明の部分断面図
【図３】本発明の部分断面図
【図１】
2012241707.tif 000003
【図２】
2012241707.tif 000004
【図３】
2012241707.tif 000005